(57)【要約】      （修正有）【課題】爪もみ指圧をする場合、指でもむにはツボの位置を効果的に刺激することが難しかったものを、もまれる指を固定することで爪もみ指圧を正確且つ安全に実施でき、携行を容易にする指圧器を提供する。【解決手段】爪もみ指圧器本体は、略長方形の押え板２枚を重ね合わせた状態で構成し、一辺を弾性的に結合し重ねあう内面はもまれる指を案内しやすいように凹溝３を設け、指圧される指を安定して固定する。本体の押え板１の重ね合う開口側に先端に丸みをもたせた一対のツボ押し用の突起４を設け、この突起４で正確に爪の生え際を同時に指圧できる。【選択図】図２
0003149461.tif 000002
【実用新案登録請求の範囲】
【請求項１】
略長方形の押え板と、この押え板を２枚重ねて一方の短辺部が弾性的に開閉できるように他方の短辺部を係止する弾力係止部材と、上記２枚の押え板の各内面中央部に指を案内できるように長辺方向に設けた凹溝と、上記いずれかの押え板の開口端近傍に一対の突起を上記凹溝に設けたことを特徴とする爪もみ指圧器。
【請求項２】
弾力係止部材部位内側に２枚の押え板に間隔をもたせるスペーサーを設けたことを特徴とする請求項１に記載の爪もみ指圧器。
【請求項３】
２枚の押え板双方に対向させて突起を設けた請求項２に記載の爪もみ指圧器。
【請求項４】
突起先端を偏平にしてその歯先方向を短辺と平行にしたことを特徴とした請求項１、または２に記載の爪もみ指圧器。
【考案の詳細な説明】
【技術分野】
【０００１】
本考案は、爪もみ指圧に用いる器具に関するものである。
【背景技術】
【０００２】
爪の生え際（両手両足）には神経線維が密集していて、左右十本の指の爪の生え際の角を集中的に刺激（爪もみ指圧）することで瞬時に自律神経に伝わり、自律神経が整うことにより体の免疫力もあがりさまざまな症状の改善・緩和が可能であると医学的にも注目されている。又、爪もみ指圧を毎日の習慣にすることで自律神経のバランスが自然と整えられ、健康維持促進効果があると言われている。
これの対応器具として、下記の公報に示されたものがある。
【先行技術文献】
【特許文献】
【０００３】
【特許文献１】実用新案登録第３１２０２３６号  公報
【考案の概要】
【考案が解決しようとする課題】
【０００４】
爪もみ指圧を行う場合、もむ爪の生え際の角を反対側の手の親指と人差し指の先端で両側からつまんで行うが、指でもむにはツボの位置を効果的に刺激することが難しく、また指の代わりに先端の尖ったものを使って爪の角を爪もみ指圧するにも適当な道具が見当たらず、爪もみ指圧を簡便に習慣化するのは困難であった。
これらの課題を解決する爪もみ指圧器の提供をする。
【課題を解決するための手段】
【０００５】
本考案の爪もみ指圧器は、略長方形の押え板と、この押え板を２枚重ねて一方の短辺部が弾性的に開閉できるように他方の短辺部を係止する弾力係止部材と、上記２枚の押え板の各内面中央部に指を案内できるように長辺方向に設けた凹溝と上記いずれかの押え板の開口端近傍に一対の突起を上記凹溝に設けたものである。
【０００６】
また、弾力係止部材部位内側に２枚の押え板に間隔をもたせるスペーサーを設けたものである。
【０００７】
そして、２枚の押え板に対向させて突起を双方に設けたものである。
【０００８】
そしてまた、突起先端を偏平にしてその歯先方向を短辺と平行にしたものである。
【考案の効果】
【０００９】
本考案の爪もみ指圧器は、軽量コンパクトで何処にでも携行が可能であり、誰でもが容易に安全且つ正確に爪もみ指圧を実施できることに役立つ。
【図面の簡単な説明】
【００１０】
【図１】本考案の爪もみ指圧器の斜視図である。
【図２】本考案における指を挿入する部分を開いた図である。
【図３】本考案の爪もみ指圧器で爪もみ指圧の様子を説明する図である。
【図４】爪ツボ部分を示す図である。
【図５】本考案の実施例２の指を挿入する部分を開いた図である。
【図６】本考案の実施例２の斜視図である。
【図７】本考案の実施例２の爪もみ指圧の様子を説明する図である。
【図８】本考案の実施例３の別の形態の斜視図である。
【図９】本考案の実施例３の指を挿入する部分を開いた図である。
【考案を実施するための最良の形態】
【００１１】
爪もみ指圧器本体をもまれる手の反対側の手で持ち、押え板を開きツボ押し用の突起が指圧しようとする爪の生え際のツボに当たるようにして、押え板２枚により指を挟んで爪もみ指圧を行う。
【００１２】
２枚の押え板に対向させてツボ押し用の突起を双方に設けた爪もみ指圧器本体をもまれる手の反対側の手で持ち、押え板を開きツボ押し用の突起で指圧しようとする爪の生え際のツボを爪の左右両側から挟むように爪もみ指圧を行う。
【００１３】
２枚の押え板に間隔をもたせるスペーサーを設けた爪もみ指圧器本体を手で持ち、押え板を開き先端を偏平にしたツボ押し用の突起が指圧しようとする爪の生え際のツボに当たるようにして、押え板２枚により指を挟んで爪もみ指圧を行う。
【実施例】
【００１４】
以下、添付図面に従って実施例を説明する。本考案の爪もみ指圧器本体は２枚の押え板１を重ね、短辺側の一方を中心に他方が弾力的に開閉できるように弾力係止部材５（例えばゴム紐、バネ）で結ばれている。本体外観から弾力係止部材５が見えないようにアクセサリー目玉２で隠してある。押え板１の内面には開口した部位から挿入した指先を安定して案内できるように凹溝３が設けられている。一方の押え板１の凹溝３の開口側に近い部分に一対の突起４が設けられ、突起４の先端は指圧に適するよう丸みを持たせてある。
【００１５】
図３、図４は本爪もみ指圧器の使用の様子を示すもので、突起４で指のツボ７を指圧する。
【００１６】
実施例２を図５、図６、図７にて説明する。図において１〜５は前述のものと同様である。反対側の押え板１の突起４に対向する部位に補助突起４aが設けてある。２枚の押え板１双方に対向させて先端に丸みをもたせたツボ押し用の補助突起４aを備え、そして２枚の押え板１を開放したままとするためのスペーサー８を設けている。突起４、４aを対向して設けることで指の表裏を同時に指圧可能となる。スペーサー８により開口を広く開放したままにできるので指の挿入が容易となる。
【００１７】
携行時には２枚の押え板１による開口部を閉じた状態とするため、片方の押え板１にストッパー９をストッパー取付用部材１０で取付けし、もう一方の押え板１にストッパーフック固定用部材１２を設け、ストッパー９のストッパーフック１１をかけて固定することにより２枚の押え板１が開放したままとならず携行に便利となる。
【００１８】
実施例３を図８、図９を用いて説明する。図において１〜５は前述と同様である。２枚の押え板１に間隔をもたせる四角柱状のスペーサー８aを設けている。一方の押え板１の凹溝３の開口側近傍に一対の突起４bを設け、突起４bは先端を偏平歯状にしてあり、ツボ７を広範囲にとらえ押圧力を分散し押さえ心地を良くする。四角柱状のスペーサー８aは本体の開口部を大きく拡げることで太い指や足の親指にも適用可能とする。
また、図示していないが突起４bに対向して実施例２に示す突起４aを設けても良い。
【符号の説明】
【００１９】
１  押え板
２  アクセサリー目玉
３  凹溝
４  突起
４a 補助突起
４b 突起
５  弾力係止部材
７  爪ツボ部分
８  スぺーサー
８a スぺーサー
９  ストッパー
１０  ストッパー取付用部材
１１  ストッパーフック
１２  ストッパーフック固定用部材
【図１】
0003149461.tif 000003
【図２】
0003149461.tif 000004
【図３】
0003149461.tif 000005
【図４】
0003149461.tif 000006
【図５】
0003149461.tif 000007
【図６】
0003149461.tif 000008
【図７】
0003149461.tif 000009
【図８】
0003149461.tif 000010
【図９】
0003149461.tif 000011